(57)【要約】      （修正有）【課題】不正開封防止用のピルファープルーフバンド付きオーバーキャップを備えたオーバーキャップ付きストレート缶において、ピルファープルーフバンドの開封つまみがオーバーキャップの側面より外方へと突き出すことなく、オーバーキャップの側面より内方に位置することにより、開封つまみが当接若しくは押されて開封してしまうことを防ぐ、ピルファープルーフバンド付きオーバーキャップを提供する。【解決手段】円筒状ストレート缶１に取付けられる、着脱可能なオーバーキャップ本体２と初期開封時に切除されるピルファープルーフバンド３とからなるピルファープルーフバンド付きオーバーキャップ２において、ピルファープルーフバンド３を切除する際の起点となる開封つまみが、オーバーキャップ２の最大外径より内側に位置するピルファープルーフバンド付きオーバーキャップ２０である。【選択図】図１
2008207829.tif 000002
【特許請求の範囲】
【請求項１】
円筒状ストレート缶に取付けられる、着脱可能なオーバーキャップ本体と初期開封時に切除されるピルファープルーフバンドとからなるピルファープルーフバンド付きオーバーキャップにおいて、前記ピルファープルーフバンドを切除する際の起点となる開封つまみが、前記オーバーキャップの最大外径より内側に位置することを特徴とする、ピルファープルーフバンド付きオーバーキャップ。
【請求項２】
前記開封つまみが、前記ピルファープルーフバンドの外径より内側若しくは等しい位置にあることを特徴とする、請求項１記載のピルファープルーフバンド付きオーバーキャップ。
【請求項３】
前記開封つまみの先端および上下部分に切欠部を形成したことを特徴とする、請求項１乃至２記載のピルファープルーフバンド付きオーバーキャップ。
【請求項４】
前記開封つまみの上部分に窪みを形成したことを特徴とする、請求項１乃至３記載のピルファープルーフバンド付きオーバーキャップ。
【発明の詳細な説明】
【技術分野】
【０００１】
本発明は、主に粉ミルク缶等に用いられ、円筒状ストレート缶に取付けられる、着脱可能なオーバーキャップ本体と初期開封時に切除されるピルファープルーフバンドとからなるピルファープルーフバンド付きオーバーキャップの不正開封防止に関する。
【背景技術】
【０００２】
従来より、粉ミルクなどを収容する円筒形状の金属製の缶（ストレート缶１）に着脱自在なオーバーキャップ２０が形成されたオーバーキャップ付きストレート缶１０が用いられている。特に、前記ストレート缶１の上方には、図８（ａ）に示すように、流通段階での不正開封を防止するため、ピルファープルーフバンド付きのオーバーキャップ２０が取り付けられ、ピルファープルーフバンド３を切除した後において、初めてオーバーキャップ本体２の取り外しが可能となるため、ピルファープルーフバンド３の有無により商品開封の有無を判別する不正開封防止の効果を奏するものである（例えば、特許文献１、特許文献２）。
【０００３】
しかしながら、このようなピルファープルーフバンド付きオーバーキャップ２０は、初期開封時の開封起点となる開封つまみ７が、図８（ｂ）（ｃ）に示すように、オーバーキャップ２０の側面より外方へと突き出しており、このため、輸送中などに突き出した開封つまみ７が接触若しくは押されると、薄肉部８が破断してしまうという問題がある。特に、外方へと突き出した開封つまみ７を簡単につかめるため、悪戯等で故意にオーバーキャップ２０の不正開封が行なわれやすいという欠点がある。
【０００４】
【特許文献１】特開２００５−１１２４６５号公報
【特許文献２】特開平６−１７１６６１号公報
【発明の開示】
【発明が解決しようとする課題】
【０００５】
本発明は、このような問題点を解決するためになされたものであり、主に、粉ミルク缶などに用いるストレート缶に取り付けられた、不正開封防止用のピルファープルーフバンド付きオーバーキャップを備えたオーバーキャップ付きストレート缶において、ピルファープルーフバンドの開封つまみがオーバーキャップの側面より外方へと突き出すことなく、オーバーキャップの側面より内方に位置することにより、開封つまみが当接若しくは押されて開封してしまうことを防ぐとともに、オーバーキャップの不正開封をより確実に防止することが可能な、ピルファープルーフバンド付きオーバーキャップを提供することである。
【課題を解決するための手段】
【０００６】
そこで、これらの課題を解決するため、本発明の請求項１記載の発明は、円筒状ストレート缶に取付けられる、着脱可能なオーバーキャップ本体と初期開封時に切除されるピルファープルーフバンドとからなるピルファープルーフバンド付きオーバーキャップにおいて、前記ピルファープルーフバンドを切除する際の起点となる開封つまみが、前記オーバーキャップの最大外径より内側に位置することを特徴とする、ピルファープルーフバンド付きオーバーキャップである。
【０００７】
また、請求項２記載の発明は、前記開封つまみが、前記ピルファープルーフバンドの外径より内側若しくは等しい位置にあることを特徴とする、ピルファープルーフバンド付きオーバーキャップである。
【０００８】
また、請求項３記載の発明は、前記開封つまみの先端および上下部分に切欠部を形成したことを特徴とする、ピルファープルーフバンド付きオーバーキャップである。
【０００９】
また、請求項４記載の発明は、前記開封つまみの上部分に窪みを形成したことを特徴とする、ピルファープルーフバンド付きオーバーキャップである。
【発明の効果】
【００１０】
本発明の請求項１記載の発明は、円筒状ストレート缶に取付けられる、着脱可能なオーバーキャップ本体と初期開封時に切除されるピルファープルーフバンドとからなるピルファープルーフバンド付きオーバーキャップにおいて、前記ピルファープルーフバンドを切除する際の起点となる開封つまみが、前記オーバーキャップの最大外径より内側に位置することを特徴とするから、開封つまみがオーバーキャップの側面より外方へと突き出してしまうことなく、故意に開封つまみを容易につままれることを防止して、オーバーキャップの不正開封が行なわれることを未然に防止することが可能である。
【００１１】
また、請求項２記載の発明は、前記開封つまみが、前記ピルファープルーフバンドの外径より内側若しくは等しい位置にあることを特徴とするから、開封つまみがオーバーキャップの側面より外方へと突き出してしまうことなく、故意に開封つまみを容易につままれることをより確実に防止することが可能である。
【００１２】
また、請求項３記載の発明は、前記開封つまみの先端および上下部分に切欠部を形成したことを特徴とするから、商品購入後の初期開封時において、前記切欠部に指先を挿入して前記開封つまみをつかみやすくなる効果がある。
【００１３】
また、請求項４記載の発明は、前記開封つまみの上部分に窪みを形成したことを特徴とするから、前記切欠部を形成することが困難な箇所において、オーバーキャップの外側の一部を窪ませる簡単な構成により、開封つまみをつまみやすくなる効果がある。
【発明を実施するための最良の形態】
【００１４】
本発明に係るピルファープルーフバンド付きオーバーキャップ２０（オーバーキャップ２０）を備えた、オーバーキャップ付きストレート缶１０の一例としては、図１（ａ）に示すように、金属製のストレート缶１と、該ストレート缶１上方の開口部分Ｋを覆うオーバーキャップ２０とからなり、該オーバーキャップ２０は、着脱自在なオーバーキャップ本体２と、初期開封時にのみ切除されるピルファープルーフバンド３とが薄肉部５を介して一体に形成されている。
【００１５】
そして、このオーバーキャップ付きストレート缶１０の初期開封時には、オーバーキャップ２０に形成された開封つまみ７をつまんで開封方向へと引っぱることにより、開封つまみ７下方の弱化部６および開封つまみ７上方の薄肉部５が破断されるとともに円周方向へとピルファープルーフバンド３が切除されて、図１（ｂ）に示すように、オーバーキャップ本体２の取り外しが初めて可能となる。
【００１６】
このように、ピルファープルーフバンド付きオーバーキャップ２０は、ピルファープルーフバンド３を切除した後において、初めてオーバーキャップ本体２を取り外すことが可能となるため、商品購入前にオーバーキャップ付きストレート缶１０の不正開封を防止する効果を奏するものである。
【００１７】
以下に、本発明のピルファープルーフバンド付きオーバーキャップ２０の構成、および前記ストレート缶１の構成についてそれぞれ説明する。
【００１８】
まず、本発明のピルファープルーフバンド付きオーバーキャップ２０を取り付ける、ストレート缶１について説明する。
前記ストレート缶１の一例としては、例えば、図２に示すように、金属製の円筒部材からなる胴部１２と、該胴部１２の上端に巻締部１１によって固定された金属製の縁部１３とを備え、該縁部１３の内側部分には、内容物を取り出すための開口Ｋが形成されているストレート缶が挙げられる。また、開口Ｋを覆う図示しない蓋部１４等を備えてもよい。そして、ストレート缶１の前記巻締部１１へと、後述する、オーバーキャップ本体２の内側に形成された掛止部２３を掛止することにより、初期開封後のオーバーキャップ本体２をストレート缶１へと着脱自在に構成している。
【００１９】
次に、本発明のピルファープルーフバンド付きキャップ２０について説明する。本発明のピルファープルーフバンド付きオーバーキャップ２０は、ポリエチレン、ポリプロピレン等の合成樹脂によって一体成形されたものであり、その構造は、図３に示すように、円形状の天面２１と、該天面２１の外周縁より下方へと延設された側面２２とを有し、オーバーキャップ本体２を構成している。
また、オーバーキャップ本体２の前記側面２２の内側には、凹状のくぼみからなる掛止部２３が形成されており、前記ストレート缶１の上縁に形成された巻締部１１を、オーバーキャップ本体２の前記掛止部２３へと掛止することにより、オーバーキャップ本体２をストレート缶１へと着脱自在としている。
そして、前記オーバーキャップ本体２の前記側面２２よりさらに下方へと、薄肉部５を介してリング状のピルファープルーフバンド３が一体に形成されている。
【００２０】
前記オーバーキャップ２０の側面部分には、前記ピルファープルーフバンド３を切除する際の持ち手となる、円周方向へと凸形状の開封つまみ７が形成されており、開封つまみ７の基端部分下方には、ピルファープルーフバンドの切取方向の斜め下方へと弱化部６が形成されるとともに、開封つまみ７の基端部分上方には、オーバーキャップの円周に沿って薄肉の樹脂からなる薄肉部５が形成されている。
よって、前記開封つまみ７をつまんで開封方向（円周の接線方向）へと引っぱることにより、弱化部６および薄肉部５が破断して、ピルファープルーフバンド３が円周方向へと切除されるものである。
【００２１】
また、前記開封つまみ７の先端および上下部分には、オーバーキャップ２０の側面部分の一部を切り欠いた切欠部８が形成されており、ピルファープルーフバンド３の切除時に、前記切欠部８へと指先を挿入して開封つまみ７の先端を手前方へと引き出して開封つまみ７を容易につまむことが可能である。そして、前記切欠部８のさらに上方部分には、オーバーキャップ本体２の側面２２の一部を窪ませた窪み９が形成されており、上述同様に指先を挿入して開封つまみをつまみやすく構成している。この窪み９は、図３（ｃ）に示すように、前記掛止部２３の外側部分に位置しており、掛止部２３の外側に切欠部８を形成することが困難である。よって、オーバーキャップ本体２の外側に窪み９を形成することにより、指先を挿入しやすい効果とともに、オーバーキャップ３の適度な剛性を保つことが可能である。
【００２２】
特に、本発明のピルファープルーフバンド付きオーバーキャップは、図３（ｃ）に示すように、前記開封つまみ７がオーバーキャップ２０の外方へと突き出すことなく、オーバーキャップ２０の外径２ｏｕｔより内方に位置しており、このためピルファープルーフバンド付きオーバーキャップ２０の不正開封を行いにくくする効果がある。
【００２３】
すなわち、前記開封つまみ７は、図４に示すように、オーバーキャップ本体２の最大外径２ｏｕｔ（図中外側点線）より内側に位置しており、さらには、ピルファープルーフバンド３の外周３ｏｕｔ（図中内側点線）より僅かに内側に位置している。よって、開封つまみ７がオーバーキャップ２０から外方へと突き出してしまうことなく、突き出した開封つまみ７に当接もしくは悪戯により、容易にオーバーキャップを開封することを防止することが可能であり、オーバーキャップの不正開封を防止する効果がある。
【００２４】
このようなピルファープルーフバンド付きオーバーキャップ２０を初期開封する際には、図５に示すように、まず、切欠部８へと指先を挿入し開封つまみ７の先端に指を掛けて手前方へと引き起こしつつ開封つまみ７をつまみ、開封方向へと引っぱることにより、図５（ｂ）に示すように、弱化部２２および薄肉部５が破断して円周方向へとピルファープルーフバンド３を切除することが可能である。これにより、ピルファープルーフバンド３の初期開封が行われ、図５（ｃ）に示すように、初めてオーバーキャップ本体２を取り外すことが可能である。
【００２５】
以上のように、本発明のピルファープルーフバンド付きオーバーキャップ２０は、開封つまみ７が、オーバーキャップ２０の最大外径より内側に位置することにより、悪戯に開封つまみ７をつまんでピルファープルーフバンド３を切除することを防止することが可能である。さらには、開封つまみ７の周囲に切欠部８を形成することにより、たとえ開封つまみ７がオーバーキャップ２０の内側に位置しても、好適に開封つまみ７をつまんでピルファープルーフバンド３の切除を行なうことが可能である。
【００２６】
さらに、本発明のピルファープルーフバンド付きオーバーキャップは、例えば図６に示すように、オーバーキャップ本体２の天面部分に、紙材１５や合成紙等を一体にインサート成形してもよく、これにより、図６（ａ）に示すように、オーバーキャップ本体２の天面にボールペンや鉛筆で筆記１６が可能となる。また、オーバーキャップ２０が略透明な樹脂からなるため、図６（ｂ）に示すように、オーバーキャップ本体２の天面内側より、前記インサート成形により一体に貼り合せた紙材の裏側の印刷１７を表示可能であり、例えば商品の説明や注意事項等を好適に表示することが可能である。
【００２７】
また、図６（ｂ）（ｃ）に示すように、オーバーキャップ本体２内側の前記掛止部２３を、等間隔おきに切り欠いた排出溝１９を形成してもよく、これにより、オーバーキャップをストレート缶１へ取り付ける際に、ストレート缶１とオーバーキャップとの間に介在する空気を好適に排出することが可能であり、オーバーキャップを取り付けやすくなる効果がある。
【００２８】
以下に、本発明のピルファープルーフバンド付きオーバーキャップを備えたストレート缶１０の好適な一例を示す実施例について説明する。
（実施例）
本発明のピルファープルーフバンド付きオーバーキャップ２０は、、ストレート缶１の外周に沿って形成された凸部４、４'を有するストレート缶１に装着してもよい。
【００２９】
この場合、図７（ａ）（ｂ）に示すように、ストレート缶１とピルファープルーフバンド３とが接する箇所の直下および直上に、それぞれストレート缶１の外周に沿って凸部４、４'が形成された、凸部４、４'を有するストレート缶１に、本発明のピルファープルーフバンド付きオーバーキャップ２０が装着されている。
【００３０】
これにより、ピルファープルーフバンド３の切除前（初期開封前）において、ピルファープルーフバンド３の下端から指先を掛けて、オーバーキャップ２０を取り外すことを防止することが可能であり、不正開封防止の効果を奏することが可能である。
【００３１】
また、ピルファープルーフバンド３とストレート缶１とが接する箇所の、直上に凸部４’が形成されているため、ピルファープルーフバンド３の上方向への移動を阻止して、初期開封前にオーバーキャップ２０を取り外す不正開封をより確実に防止することが可能である。
【００３２】
このように、本発明のピルファープルーフバンド付きオーバーキャップ２０は、開封つまみ７が、オーバーキャップ２０の最大外径より内側に位置することにより、開封つまみ７がオーバーキャップ２０の側面より外方へと突き出すことがなくなるため、従来での突出した開封つまみ部分を持ち上げてオーバーキャップを不正開封することを防止することが可能である。
【００３３】
さらには、本発明のピルファープルーフバンド付きオーバーキャップ２０を、前記凸部４を有するストレート缶１に装着することにより、オーバーキャップ２０を持ち上げるきっかけ部分が無くなるため、より一層の不正開封防止の効果がある。
【００３４】
また、本発明のピルファープルーフバンド付きオーバーキャップ２０は、開封つまみ７の周囲に切欠部８を形成することにより、好適に開封つまみ７をつまんでピルファープルーフバンド３の切除を行なうことが可能であり、さらには、オーバーキャップ本体２の天面部分に、紙材１５や合成紙等を一体にインサート成形することにより、オーバーキャップ本体２の天面にボールペンや鉛筆で筆記１６が可能となる。
【００３５】
前記オーバーキャップ２０の材質の一例としては、低密度ポリエチレン、線状低密度ポリエチレン、中密度ポリエチレン、高密度ポリエチレン、ポリプロピレン等のオレフィン樹脂を射出成形して形成することができる。
また、前記ストレート缶１としては、ストレート缶の胴部の上端に巻締部１１によって固定された金属製の縁部１３を有する３ピースの金属缶のみならず、前記巻締部１１に丸型環状縁部を有する紙またはプラスチックと金属箔、金属または金属酸化物の蒸着膜、ポリ塩化ビニリデンフィルム、ポリアクリロニトリル樹脂、エチレン−酸化ビニル共重合体等のガスバリア材料の複合材料からなる缶等を適用してもよい。
また、オーバーキャップ付きストレート缶１０の使用用途の一例としては、粉ミルクに限らず、お茶、海苔、ふりかけ、粉末コーヒー等の食品のみならず、取り扱いに慎重を要する医薬品、液体塗料、接着剤、オイル等が挙げられる。
【図面の簡単な説明】
【００３６】
【図１】オーバーキャップ付きストレート缶を示す図である。  （ａ）初期開封前の状態を示す図である。  （ｂ）開封後の状態を示す説明図である。
【図２】ストレート缶の一例を示す図である。  （ａ）ストレート缶の一部切断説明図である。  （ｂ）ストレート缶の断面図である。
【図３】本発明のピルファープルーフバンド付きオーバーキャップを示す図である。  （ａ）本発明のピルファープルーフバンド付きオーバーキャップを示す図である。  （ｂ）オーバーキャップのＡ断面Ｂ面視を示す断面説明図である。  （ｃ）オーバーキャップのａ断面ｂ面視を示す断面説明図である。
【図４】本発明のオーバーキャップ付きストレート缶を示す説明図である。  （ａ）ピルファープルーフバンド付きオーバーキャップの一部切断説明図である。  （ｂ）オーバーキャップ上面視一部切断説明図である。
【図５】オーバーキャップ付きストレート缶の開封を示す説明図である。  （ａ）ピルファープルーフバンド付きオーバーキャップを装着した状態のオーバーキャップ付きストレート缶を示す図である。  （ｂ）オーバーキャップ付きストレート缶の初期開封時を示す説明図である。  （ｃ）オーバーキャップ付きストレート缶の開封後を示す説明図である。
【図６】本発明のピルファープルーフバンド付きオーバーキャップの別の例を示す図である。  （ａ）オーバーキャップの天面を示す図である。  （ｂ）オーバーキャップの天面の内側を示す図である。  （ｃ）オーバーキャップの断面図である。
【図７】本発明のピルファープルーフバンド付きオーバーキャップを備えたストレート缶の一例を示す図である。  （ａ）ピルファープルーフバンド付きオーバーキャップを備えたストレート缶の、一部切断説明図である。  （ｂ）ピルファープルーフバンド付きオーバーキャップを備えたストレート缶の断面図である。
【図８】従来のオーバーキャップ付きストレート缶を示す説明図である。  （ａ）オーバーキャップを示す説明図である。  （ｂ）略上面視でのオーバーキャップを示す説明図である。  （ｃ）略側面視でのオーバーキャップを示す説明図である。
【符号の説明】
【００３７】
１  ストレート缶
２  オーバーキャップ（オーバーキャップ本体）
３  ピルファープルーフバンド
４、４'  凸部
５  薄肉部
６  弱化部
７  開封つまみ
８  切欠部
９  窪み
１０  オーバーキャップ付きストレート缶
１１  巻締部
１２  胴部
１３  縁部
１４  蓋部
１５  紙材
１６  筆記部分
１７  表示
２０  ピルファープルーフバンド付きオーバーキャップ
２１  天面
２２  側面
２３  掛止部
Ｋ  開口（開口部分）
【図１】
2008207829.tif 000003
【図２】
2008207829.tif 000004
【図３】
2008207829.tif 000005
【図４】
2008207829.tif 000006
【図５】
2008207829.tif 000007
【図６】
2008207829.tif 000008
【図７】
2008207829.tif 000009
【図８】
2008207829.tif 000010